(57)【要約】      （修正有）【課題】活性化鉱水由来の好ましい特性が間接的に及ぶ絶縁被覆導体を簡便な光照射処理によって製造する方法を提供する。【解決手段】差込プラグ部1とプラグ受け部２と延長コード部３が一体となったテーブルタップ４などからなる配線用差込接続器である絶縁被覆導体に、所定の光照射装置から光を照射する。所定の光照射装置は、電気光源からの光を透過または反射する光透過部または光反射部を有し、この光照射装置の光透過部もしくは光反射部または両部材は、所定方法で製造された活性化鉱水で接触処理された光照射装置である。活性化鉱水は、５〜３０気圧に加圧された水を玄武岩、安山岩、磁鉄鉱から選ばれる１種以上の鉱物を含む鉱物性無機物質に接触通過させる工程と、この工程を経た水を前記気圧未満の雰囲気下に貯留する工程を交互に繰り返して製造する。【選択図】図１
2009252358.tif 000002
【特許請求の範囲】
【請求項１】
絶縁被覆導体に、下記の光照射装置から光を照射することにより、活性化鉱水由来の電磁波に共鳴した電磁波同調光を絶縁被覆導体に照射処理することからなる光照射処理された絶縁被覆導体の製造方法。
記
電気光源からの光を透過または反射する光透過部または光反射部を有する光照射装置からなり、この光照射装置の光透過部もしくは光反射部または両部材は、所定方法で製造された活性化鉱水で接触処理された光照射装置である。
【請求項２】
絶縁被覆導体に、請求項１に記載された光照射装置によって光透過部もしくは光反射部または両部材を光照射処理された光照射装置を別途設け、この光照射装置からの光を絶縁被覆導体に照射することにより、活性化鉱水由来の電磁波に共鳴した電磁波同調光を絶縁被覆導体に照射処理することからなる光照射処理された絶縁被覆導体の製造方法。
【請求項３】
光照射装置の電気光源からの光が、可視光、赤外線、遠赤外線および紫外線から選ばれる１種以上の光である請求項１または２に記載の光照射処理された絶縁被覆導体の製造方法。
【請求項４】
活性化鉱水の製造方法が、５〜３０気圧に加圧された水を玄武岩、安山岩、磁鉄鉱から選ばれる１種以上の鉱物を含む鉱物性無機物質に接触通過させる工程と、この工程を経た水を前記気圧未満の雰囲気下に貯留する工程を交互に繰り返して製造された活性化鉱水である請求項１〜３のいずれかに記載の光照射処理された絶縁被覆導体の製造方法。
【発明の詳細な説明】
【技術分野】
【０００１】
この発明は、活性化鉱水に由来する電磁波同調光を照射処理し、活性化鉱水の有する特性が付与されるように光照射処理によって加工された絶縁被覆電線またはコンセントを含む配線用差込接続器などの絶縁被覆導体の製造方法に関するものである。
【背景技術】
【０００２】
一般に、通常の水は、分子が水素結合によってクラスターを形成した状態であり、このクラスターの形成度合によって、水の腐敗速度に多大な影響があることが近年多くの学者等の実験研究によって解明されている。
【０００３】
水分子のクラスターを崩壊させて小さなクラスターにするか、または昇降圧状態で無機物質から溶け出したイオンを中心にするなどして小分子集団化させると、例えば物質への浸透性が増し、繊維加工水として用いた場合に染着性が改善され、または雑菌の増殖を抑制するといった種々の効用があることも知られている。
【０００４】
活性化鉱水は、本願の発明者が食品加工用水や繊維加工用水として適当な小分子集団化されまたは単分子化された水を開発し、これを活性化鉱水としてその製造方法を開示したものである（特許文献１）。
【０００５】
特許文献２に記載されているように、活性化鉱水は、５〜３０気圧に加圧された水を所定の鉱物性無機物質に接触通過させる工程と、この工程を経た加圧水を前記所定の気圧未満の雰囲気に貯留する工程とを設け、これらの工程を交互に繰り返すようにして前記加圧水を循環させて製造できる。
【０００６】
このような活性化鉱水を好ましくは２〜３０気圧に加圧し、セラミックス、ガラス、樹脂、金属などの固形状処理対象物に接触通過させて、好ましい物理化学的作用を及ぼす接触反応方法が知られている（特許文献２）。
【０００７】
活性化鉱水を接触させた樹脂ペレットを用いて液体や固体の収容容器を成形すると、この容器に収容された生鮮食品の鮮度低下が穏やかになり、またその生鮮食品の味がまろやかになるといった特異な物理化学的作用のあることも開示されている（特許文献３）。
【０００８】
また、活性化鉱水の物理化学的な作用を非接触の状態でも奏されるようにし、特に光を介して人の健康増進に役立つような装置となるようにし、その他にも種々の効用が期待される活性化鉱水の物理化学的作用が奏される電光装置およびこれを光源とする照明装置が開示されている（特許文献４）。
【０００９】
【特許文献１】特公平４−７４０７４号公報（特許請求の範囲）
【特許文献２】特許第３５６１５３２号公報（特許請求の範囲、段落［００２０］）
【特許文献３】特許第３６３４０２１号公報（特許請求の範囲、段落［００３６］）
【特許文献４】特開２００６−３３２４３９号公報
【発明の開示】
【発明が解決しようとする課題】
【００１０】
しかし、上記した従来技術では、直接に活性化鉱水で接触処理しなければ所期した効果が得られないものであり、そのような活性化鉱水の製造には加圧設備などを要し、また長時間の活性化鉱水での接触処理工程が必要であり、処理には長時間に亘り多くの労力が必要であった。
【００１１】
そこで、この発明の課題は、上記した問題点を解決して、活性化鉱水由来の好ましい特性が間接的に及ぶ絶縁被覆導体を製造し、すなわち簡便な光照射処理によって絶縁被覆導体が、活性化鉱水由来の電磁波に同調してヒトの健康などにも有益な作用を発揮できるようにし、このような絶縁被覆導体を使用した電気器具についても作動効率がよくなり、また例えばマイナスイオンの発生その他の活性化鉱水由来の特性が発揮できるよう光照射処理された絶縁被覆導体を製造することである。
【課題を解決するための手段】
【００１２】
上記の課題を解決するために、この発明においては、絶縁被覆導体に、下記の光照射装置から光を照射することにより、活性化鉱水由来の電磁波に共鳴した電磁波同調光を絶縁被覆導体に照射処理することからなる光照射処理された絶縁被覆導体の製造方法としたのである。
【００１３】
記
電気光源からの光を透過または反射する光透過部または光反射部を有する光照射装置からなり、この光照射装置の光透過部もしくは光反射部または両部材は、所定方法で製造された活性化鉱水で接触処理された光照射装置である。
【００１４】
上記した工程からなるこの発明の光照射処理された絶縁被覆導体の製造方法では、絶縁被覆導体に、活性化鉱水由来の電磁波に共鳴した電磁波同調光を照射処理することにより、絶縁被覆導体に活性化鉱水を接触させて処理する場合と同様の作用効果を得ることができる。
【００１５】
すなわち、この発明の絶縁被覆導体の製造方法により、活性化鉱水から放出される電磁振動エネルギーを絶縁被覆導体に吸収させると、後述の実験結果からも明らかなように、絶縁被覆導体から電力を供給した電化製品の使用電力量は軽減され、また電熱を発生させる電化製品ではこの電熱により加熱された水がマイナスイオン化しやすくなるなど、営利上も価値のある特異な現象が認められる。
【００１６】
上記同様の課題を解決するために、本願の発明では、絶縁被覆導体に、上記の光照射装置によって光透過部もしくは光反射部または両部材を光照射処理された光照射装置を別途設け、この光照射装置からの光を絶縁被覆導体に照射することにより、活性化鉱水由来の電磁波に共鳴した電磁波同調光を絶縁被覆導体に照射処理することからなる光照射処理された絶縁被覆導体の製造方法としてもよい。
【００１７】
すなわち、前記した活性化鉱水由来の電磁波同調光による光照射処理において、光照射装置が、前述の光照射処理された光透過部もしくは光反射部または両部材を用いた光照射装置であっても上記同様の活性化鉱水由来の電磁波同調光による光照射処理の作用効果が得られる。
【００１８】
このように別途設けられた光照射装置は、可視光、赤外線、遠赤外線および紫外線から選ばれる一種以上の光を発する光照射装置であればよく、発生させる光の波長は特に限定して採用するものではなく、活性化鉱水由来の電磁波同調光による光照射処理を汎く利用することができる。
【００１９】
前記した所定特性の活性化鉱水の製造方法としては、５〜３０気圧に加圧された水を玄武岩、安山岩、磁鉄鉱から選ばれる１種以上の鉱物を含む鉱物性無機物質に接触通過させる工程と、この工程を経た水を前記気圧未満の雰囲気下に貯留する工程を交互に繰り返して活性化鉱水を製造する方法を採用することができる。
【００２０】
所定の活性化鉱水は、分子レベルで小集団化した水、すなわち無機物質から溶出した２価、３価イオンなどを中心に水のクラスターが小型化して浸透性の高い水であり、ガラス等の光学部品の材料に接した場合には浸透しやすいが、浸透し難い場合でも光照射装置の構成部材である光透過部もしくは光反射部または両部材に対して活性化鉱水からの電磁振動エネルギーとしての電磁波が伝播し、物理化学的作用が及ぼされると考えられる。
【００２１】
活性化鉱水由来の電磁振動エネルギーを吸収した光透過部もしくは光反射部などの光学部品は、これを通過、または反射する光（電磁波）と共振するものになると考えられ、電磁波が透過または反射する際に得られる電磁波同調光に水その他の極性のある分子や金属などに対して何らかの物理化学的作用を及ぼしやすい特異な光化学特性が付与される。
その作用は、光透過部を透過する光が可視光であっても奏され、例えば光照射装置が、白熱電球、蛍光灯または発光ダイオードのいずれの電光装置である場合にも奏される。
【００２２】
また、活性化鉱水がセラミックス、ガラス、金属などの固形状処理対象物に接触しないまでも、これらに一時的に接触した状態と同様に、電磁波を介して分子の振動エネルギーを電磁場と同様に伝播させているとすれば、その結果として処理対象物の分子のエネルギーは変化するものと考えられる。
【発明の効果】
【００２３】
この発明は、絶縁被覆導体に所定の光照射装置から光を照射する絶縁被覆導体の製造方法としたので、活性化鉱水由来の好ましい特性が間接的に及ぶ絶縁被覆導体が製造され、すなわち簡便な光照射処理によって絶縁被覆導体が、活性化鉱水由来の電磁波に同調して空気中にマイナスイオンを発生させるなど有益な作用を発揮できるようになるという利点がある。
【００２４】
また、このような絶縁被覆導体を使用した電気器具についても作動効率がよくなり、また例えばマイナスイオンの発生その他の活性化鉱水由来の有利性が発揮できるように光照射処理された絶縁被覆導体を製造できるという利点がある。
【発明を実施するための最良の形態】
【００２５】
この発明の実施形態を以下に添付図面を参照しながら説明する。
図１、２に示すように、実施形態における光照射処理された絶縁被覆導体の製造方法では、差込プラグ部1とプラグ受け部２と延長コード部３が一体となったテーブルタップ４からなる配線用差込接続器である絶縁被覆導体に、図外の所定の光照射装置から光を照射する。
【００２６】
図２に示すように、延長コード部３は、２束の導電線５を個別に被覆する合成樹脂製の内部絶縁層６と、その外側を纏めて被覆する外部絶縁層７からなる。
また、差込プラグ部１とプラグ受け部２は前記両絶縁層と同種の絶縁樹脂で形成され、導電線５に接続された導体金属製のプラグ８とジャック（図中、符号９はジャック孔を示す。）が埋め込まれ、またはソケットなどの筺体に嵌め込まれている。
【００２７】
光照射装置は、光源（電光装置）から発生した光をガラスや合成樹脂などからなる光透過性または光反射性の１以上の光学部品を介して被照明物に照射可能である周知構造の物を利用できる。
このような光照射装置としては、例えば懐中電灯、卓上照明器具、壁面など固定式照明器具、その他の周知の照明器具を利用できる。
【００２８】
このような光照射装置の構成部材である光透過部は、凸レンズ、凹レンズや平板状または曲面状のガラスなどの透明性または半透明性のセラミックス、またはポリカーボネートやアクリル系樹脂などの合成樹脂製の透明な部品、同様な材料で形成された外装部品（カバー、ケースなど）で形成されたものである。
【００２９】
また、光照射装置の光反射部は、光源の背側または光線の角度を適当に変更するために所定位置に配置され、その素材としては、アルミニウム、クロム、銀、ニッケル、ステンレス鋼などの金属製からなるもの、金属や合成樹脂やガラスなどに蒸着などして物理化学的に鍍金したもの、またはガラスや合成樹脂に蒸着したもの、またはセラミックスなどからなり、例えば、電球の一部が反射面となるように鍍金されたものや、電球の裏側に別途設置される反射凹面鏡などの光学部品などが挙げられる。
【００３０】
前記した光照射装置の電気光源としては、白熱電球やハロゲンランプなどの他、蛍光灯、ＬＥＤ、紫外線電球、発光ダイオード（ＬＥＤ）やその他周知の電気光源を採用することができる。これらに使用する電源は、直流電源ばかりでなく、交流電源も適宜に調整使用できる。
【００３１】
この発明に用いる活性化鉱水は、５〜３０気圧に加圧された水を玄武岩、安山岩、磁鉄鉱から選ばれる１種以上の鉱物を含む鉱物性無機物質に接触通過させ、接触通過した水を前記気圧未満の雰囲気下に曝気し、これらの工程を順に繰り返して製造されると、鉱物性無機化合物を含有する活性化鉱水になる。
【００３２】
上記方法で製造された活性化鉱水は、接触通過した鉱物性無機物質から溶出した無機イオン（例えば２価または３価の無機イオン）を含んでいるほか、水素結合が切れて水分子が５〜６クラスター程度となり、通常の水分子の２０〜３０分子の場合に比べて小さくなっているなど、分子レベルで水の状態が変化しているものと考えられており、種々の物質によく浸透する物性がある。
【００３３】
因みに、鉱物性無機物質の代表例である玄武岩、安山岩、磁鉄鉱の主な成分は、ＳｉＯ2、ＴｉＯ2、Ａｌ2Ｏ3、Ｆｅ2Ｏ3、ＦｅＯ、ＭｎＯ、ＭｇＯ、ＣａＯ、Ｎａ2Ｏ、Ｋ2Ｏからなっている。
【００３４】
５〜３０気圧に加圧された水を使用して鉱物性無機物質に接触通過させる理由は、５気圧未満の低圧では活性化鉱水の製造効率が悪く、生成された鉱水の浸透性向上などの作用が不充分だからであり、また加圧の上限は、３０気圧を越える加圧水を接触させても活性化鉱水にそれ以上に変化が見られず、却って実用性を失するからである。
【００３５】
また、５〜３０気圧という加圧時の気圧未満の雰囲気下に貯留する工程を設け、例えば曝気などによって好ましくは大気圧に減圧する理由は、加圧された水を減圧し、再び加圧するという工程を繰り返すことにより、水の水素結合を切って変性させ、それまで水素結合に寄与していた電子を還元性に寄与させるようにするためであり、このような減圧と加圧を繰り返す製造工程は、活性化鉱水に特有の物性を付与するために必要な工程と考えられる。
【００３６】
上記の所定方法で製造された活性化鉱水に透光性中空成形体、樹脂ペレット、ガラスの原材料などを浸漬する他の接触処理を施すと、この原材料に活性化鉱水およびこれに溶出した鉱物性無機物質からの無機イオン性物質が添加され、また接触した水分子の振動エネルギーが電磁場と同様に伝播するとすれば、その結果として樹脂ペレット等の処理対象物の分子内のエネルギーは変化するものと考えられる。また実験結果からみても、活性化鉱水の物理化学的な性質が樹脂やガラスの原材料に転移した状態になると考えられる。
【００３７】
このように活性化鉱水を光照射装置の構成部材である光透過部もしくは光反射部または両部材に接触させる処理は、常温、常圧で行なうこともできるが、処理対象物である電光装置の光が通過するレンズなどの光透過部や、光反射部（電光装置から周囲に拡散した光を前方などに集中させるための光学的反射面）を含めて、装置の一部または全体（水濡れに不適当な電気回路などを除く。）を耐圧性のタンクに収容し、加圧ポンプで処理対象物が壊れない程度に２〜３０気圧の範囲で加圧調整した活性化鉱水を供給する状態で行なうことは製造効率がよくて好ましい。
【００３８】
次に、上記のようにして製造された光照射装置を用いて、活性化鉱水に接触することなく、同様な特性を有する光照射装置を製造することもできる。
すなわち、光照射装置の構成部材である光透過部もしくは光反射部または両部材に、前記のようにして得られた光照射装置からの光を照射する。光照射装置の構成部材である光透過部もしくは光反射部の例としては、前述した例と同様である。
【００３９】
また、光照射の際には、被処理品に対して活性化鉱水を霧状に噴霧しながら行なえば、活性化鉱水から放出される電磁波が鉱物性無機物質と共に確実に作用すると考えられるので好ましい。このようにして所定方法で製造された活性化鉱水から放出される電磁波を光照射装置の所定の構成部材に照射し、これらに電磁振動エネルギーを吸収させるようにする。このようにして製造された光照射装置から、活性化鉱水由来の電磁波に共鳴した電磁波同調光を絶縁被覆導体に照射処理する。
【００４０】
照射時間は、できるだけ長時間であることが好ましく、少なくとも１時間以上、好ましくは１０時間、より好ましくは２４時間以上であれば、処理対象品の大きさや構造に合わせて充分に表面が均等に照射でき、また処理対象品の立体的形状からみた表面の凹凸が多いもの、その他複雑な形状である場合にも充分に光照射される。
【実施例】
【００４１】
［活性化鉱水の製造］
ステンレス製の耐圧容器の両端部に操作弁付きの通水路と排水路を接続すると共に、耐圧容器の内部にステンレス製の多孔板または網板等からなるフィルターを対向させ、かつできるだけ間隔を開けて配置し、そのフィルター間に粒径約５ｍｍの玄武岩粒を主成分とする鉱物性無機物質を充填した。排水路は、大気に解放された貯水タンクに連結し、さらにこの貯水タンクからの水を前記耐圧容器の通水路に返送して循環させるようにした。原料の水道水は、圧力ポンプで２５気圧に加圧して耐圧容器の一端に通水し、他端から押出された水は貯水タンクの上部から曝気状態で注水して、貯水タンクの下部に溜まった水は圧力ポンプで通水路に返送して２４時間の加圧と減圧解放を繰り返し、６００リットルの活性化鉱水を製造した。
【００４２】
［活性化鉱水で接触処理された光照射装置の製造］
発光ダイオードおよび懐中電灯のレンズ付きヘッドを収容した圧力タンクに、前述のようして製造した活性化鉱水を満たし、３気圧の加圧状態で２４時間浸漬して活性化鉱水での接触処理を行なった。そして、得られた発光ダイオード５個を光源とし、レンズ付きヘッドを取り付けた直流電源３Ｖの活性化鉱水で接触処理された光照射装置を製造した。
【００４３】
［所定の部材を光照射処理された光照射装置の製造］
紫外線蛍光灯（市販品：ブラックライト、４Ｗ、ＦＬ４ＢＬ）のガラス管に、前記のようにして得られた電光装置からの光を外部から２４時間照射し、活性化鉱水由来の電磁波同調光の照射装置（照射装置Ａ）を得た。
【００４４】
また、昼光色の蛍光灯（市販品：１００Ｖ、１５Ｗ、直管）のガラス管に、前記のようにして得られた電光装置からの光を外部から２４時間照射し、活性化鉱水由来の電磁波同調光の照射装置（照射装置Ｂ）を得た。
【００４５】
また、蛍光灯（市販品：昼光色、２００Ｖ、４０Ｗ）のガラス管に、前記のようにして得られた電光装置からの光を外部から２４時間照射し、活性化鉱水由来の電磁波同調光の照射装置（照射装置Ｃ）を得た。
【００４６】
また、発光ダイオードおよび懐中電灯のレンズ付きヘッドに前記のようにして得られた電光装置からの光を外部から２４時間照射し、活性化鉱水由来の電磁波同調光の照射装置（照射装置Ｄ）を得た。
【００４７】
［実施例１］
得られた照射装置Ａ〜Ｄを用い、図１に示したテーブルタップからなる配線用差込接続器である絶縁被覆導体を２４時間光照射処理した。
【００４８】
次いで、代表例として照射装置Ｂを用いて照射処理したテーブルタップ４にヘアドライヤー（１２００Ｗ）を接続し、水道水２リットルを入れたパレット型の上面開放容器に１５分間温風を吹きつけ、この水を室温に冷却後、噴霧器で定量をエアテント内に噴霧し、このエアテント内のプラスイオンとマイナスイオンの単位容量当りの個数をフィーサ社製のエアーイオンカウンタＦＩＣ−２００で測定し、結果を図３に示すと共に表１中に平均値を示した。なお、測定条件（ブランク）として、室内における噴霧直前のマイナスイオン数は４３個／ｍｌであった。
【００４９】
【表１】
2009252358.tif 000003
【００５０】
［比較例１］
実施例１において、テーブルタップに照射処理を行なわないこと以外は、全く同様にして水道水にドライヤーで温風を吹きつけ、その後も同様にして室温に冷却後、同一室内に同じ条件で噴霧した際のプラスイオンとマイナスイオンの単位容量当りの個数を測定し、結果を図４に示すと共に平均値を表１中に併記した。
【００５１】
［比較例２］
ブランクテストとして、水道水をそのまま噴霧した際のプラスイオンとマイナスイオンの単位容量当りの個数を測定し、結果を表１中に併記した。
図３、４および表１の結果からも明らかなように、実施例１の使用では、テーブルタップに対する光照射処理のみの違いにより、得られた水はマイナスイオン化しやすいものになったことがわかる。
【００５２】
なお、実施例１と比較例１のテーブルタップを使用してヘアドライヤーを通常の使用状態で濡れた毛髪の熱風乾燥に使用したが、実施例１を使用したヘアドライヤーは比較例１を使用したヘアドライヤーに比べて乾燥が速く、風圧が強く感じられ、また皮膚に当てた熱風の暖かさが長時間残り効果的であるとの成人男女多数によるアンケート結果が得られた。
【００５３】
また、同一の冷蔵庫の使用状態として、実施例１のテーブルタップから壁面プラグ受（コンセント）に接続した使用状態と、テーブルタップを使用せずに壁面プラグ受（コンセント）に直接に接続した使用状態について、使用時間が約２４時間である場合に同一条件で使用される積算電力量（ｋｗ）および換算電気料金を調べ、表２に示した。
【００５４】
【表２】
2009252358.tif 000004
【００５５】
表２の結果からも明らかなように、実施例１を使用した場合に所定の冷蔵庫の電力量は低くなり、冷蔵庫内は電気利用の効率よく冷却されていることがわかる。
【図面の簡単な説明】
【００５６】
【図１】実施形態のテーブルタップの概略構造を示す斜視図
【図２】実施形態のテーブルタップの延長コードの断面図
【図３】実施例１の使用により発生した空気中のプラスイオンとマイナスイオンの単位容量当たりの個数と経過時間の関係を示す図表
【図４】比較例１の使用により発生した空気中のプラスイオンとマイナスイオンの単位容量当たりの個数と経過時間の関係を示す図表
【符号の説明】
【００５７】
１  差込プラグ部
２  プラグ受け部
３  延長コード部
４  テーブルタップ
５  導電線
６  内部絶縁層
７  外部絶縁層
８  プラグ
９  ジャック孔
【図１】
2009252358.tif 000005
【図２】
2009252358.tif 000006
【図３】
2009252358.tif 000007
【図４】
2009252358.tif 000008